(57)【要約】【課題】人の存在有無に関する情報を的確に取得することができる人検知装置および人検知システムを提供する。【解決手段】人検知装置１０は、人を検出するための検出部１３と、検出部１３で検出した情報に基づいて人の存在有無を判定する判定部１６と、携帯デバイス３０にビーコン信号Ｂ１を送信し、ビーコン信号Ｂ１に対応して携帯デバイス３０から送信された信号を受信する第１通信部１１とを備える。人検知システム１は、人検知装置１０と、人検知装置１０と通信可能な管理装置４０とを備える。【選択図】図１
2020027013.tif 000002
【特許請求の範囲】
【請求項１】
人を検出するための検出部と、
前記検出部で検出した情報に基づいて人の存在有無を判定する判定部と、
携帯デバイスにビーコン信号を送信し、前記ビーコン信号に対応して前記携帯デバイスから送信された信号を受信する第１通信部と
を備える人検知装置。
【請求項２】
前記第１通信部による前記ビーコン信号の送信エリアは、前記検出部の検出エリアよりも広い
請求項１に記載の人検知装置。
【請求項３】
前記第１通信部は、前記ビーコン信号として、前記携帯デバイスを所有する人の識別情報および前記携帯デバイスの識別情報のうち少なくとも一方を返信するように指示する信号を送信する
請求項１または２に記載の人検知装置。
【請求項４】
前記第１通信部は、前記携帯デバイスから送信された信号として、前記携帯デバイスを所有する人の識別情報および前記携帯デバイスの識別情報のうち少なくとも一方を含む信号を受信する
請求項１〜３のいずれか１項に記載の人検知装置。
【請求項５】
さらに、前記検出部および前記判定部の作動、または、前記第１通信部の作動のオンまたはオフを切り替える作動切替部を備える
請求項１〜４のいずれか１項に記載の人検知装置。
【請求項６】
前記作動切替部は、前記判定部の判定情報に基づいて、前記第１通信部の作動をオンまたはオフする
請求項５に記載の人検知装置。
【請求項７】
前記作動切替部は、前記第１通信部で受信した信号に含まれる情報に基づいて、前記検出部および前記判定部の作動をオンまたはオフする
請求項５に記載の人検知装置。
【請求項８】
前記検出部は、カメラである
請求項１〜７のいずれか１項に記載の人検知装置。
【請求項９】
前記検出部は、赤外線センサである
請求項１〜７のいずれか１項に記載の人検知装置。
【請求項１０】
さらに、外部の管理装置と通信する第２通信部を有し、
前記第２通信部は、前記判定部の判定情報および前記第１通信部で受信した信号に含まれる情報の少なくとも一方を管理入力情報として前記管理装置に送信する
請求項１〜９のいずれか１項に記載の人検知装置。
【請求項１１】
前記第２通信部は、
前記判定部が人の存在有りと判定した場合に前記管理入力情報を送信し、前記判定部が人の存在無しと判定した場合に前記管理入力情報を送信しない
請求項１０に記載の人検知装置。
【請求項１２】
前記第２通信部は、
前記第１通信部が前記携帯デバイスから送信される信号を受信した場合に前記管理入力情報を送信し、前記第１通信部が前記携帯デバイスから送信される信号を受信しなかった場合に前記管理入力情報を送信しない
請求項１０に記載の人検知装置。
【請求項１３】
前記第２通信部は、
前記判定部が人の存在有りと判定し、かつ、前記第１通信部が前記携帯デバイスから送信される信号を受信した場合に、前記管理入力情報を送信し、
前記判定部が人の存在無しと判定した場合、および、前記第１通信部が前記携帯デバイスから送信される信号を受信しなかった場合の少なくとも一方の場合に、前記管理入力情報を送信しない
請求項１０に記載の人検知装置。
【請求項１４】
請求項１〜１３のいずれか１項に記載の人検知装置と、
前記人検知装置と通信可能な管理装置と
を備える人検知システム。
【請求項１５】
さらに、前記人検知装置から送信されるビーコン信号を受信し、前記ビーコン信号に対応する信号を前記人検知装置に返信する携帯デバイスを備える
請求項１４に記載の人検知システム。
【発明の詳細な説明】
【技術分野】
【０００１】
本発明は、人を検知する人検知装置および人検知システムに関する。
【背景技術】
【０００２】
従来、人を検知する人検知装置が知られている。この種の人検知装置の一例として、特許文献１には、画像センサを用いて人を検知する人検知装置が開示されている。
【先行技術文献】
【特許文献】
【０００３】
【特許文献１】特開２０１８−３２５２７号公報
【発明の概要】
【発明が解決しようとする課題】
【０００４】
しかしながら、例えば、輝度変化を利用して人を検出する画像センサを用いた人検知装置では、検出範囲内における光の当たり方が変化した場合に、実際には人がいないにもかかわらず人がいると判断することがある。
【０００５】
そこで本発明は、人の存在有無に関する情報を的確に取得することができる人検知装置および人検知システムを提供することを目的とする。
【課題を解決するための手段】
【０００６】
本発明の一態様に係る人検知装置は、人を検出するための検出部と、前記検出部で検出した情報に基づいて人の存在有無を判定する判定部と、携帯デバイスにビーコン信号を送信し、前記ビーコン信号に対応して前記携帯デバイスから送信された信号を受信する第１通信部とを備える。
【０００７】
本発明の一態様に係る人検知システムは、上記人検知装置と、前記人検知装置と通信可能な管理装置とを備える。
【発明の効果】
【０００８】
本発明に係る人検知装置等によれば、人の存在有無に関する情報を的確に取得することができる。
【図面の簡単な説明】
【０００９】
【図１】実施の形態に係る人検知システムおよび人検知装置を示す概略図である。
【図２】実施の形態に係る人検知システムを示すブロック構成図である。
【図３】実施の形態に係る人検知装置を示す斜視図である。
【図４】実施の形態に係る人検知装置の検出エリアおよびビーコン信号の送信エリアを示す図である。
【図５】実施の形態に係る携帯デバイスを示す概略図である。
【図６】実施の形態に係る人検知システムの動作を示すシーケンス図である。
【図７】実施の形態の人検知装置の他の例を示す斜視図である。
【発明を実施するための形態】
【００１０】
以下、本発明の実施の形態について、図面を用いて詳細に説明する。なお、以下で説明する実施の形態は、いずれも本発明の好ましい一具体例を示す。以下の実施の形態で示される形状、構成要素、構成要素の配置位置および接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密に図示されたものではない。
【００１１】
（実施の形態）
［１．人検知システムの構成］
まず、実施の形態に係る人検知システム１の構成について、図１および図２を参照しながら説明する。図１は、実施の形態に係る人検知システム１および人検知装置１０を示す概略図である。図２は、人検知システム１を示すブロック構成図である。
【００１２】
図１および図２に示すように、人検知システム１は、人検知装置１０と、管理装置４０と、携帯デバイス３０とを備える。例えば、人検知装置１０は建物の天井に設置され、管理装置４０は、建物の部屋の中に設置される。携帯デバイス３０は、人を認証するための携帯認証デバイスであり、複数の人のそれぞれに所持されている。人検知システム１は、部屋に設置された複数の電気機器５０を管理制御する。例えば、電気機器５０がＬＥＤ（Ｌｉｇｈｔ  Ｅｍｉｔｔｉｎｇ  Ｄｉｏｄｅ）を有する照明器具である場合、人検知システム１は、人を検知して照明器具の光特性を制御する。
【００１３】
なお、電気機器５０は、照明器具に限られず空調機であってもよい。電気機器５０は、２台に限られず３台以上であってもよい。また、図１には、１つの人検知装置１０が示されているが、複数の人検知装置１０が建物の天井などに設置されていてもよい。
【００１４】
次に、人検知装置１０の構成について説明する。図３は、人検知装置１０を示す斜視図である。
【００１５】
図２および図３に示すように、人検知装置１０は、検出部１３と、制御部１５と、第１通信部１１と、第２通信部１２とを備えている。図３に示すように、検出部１３は、人検知装置１０の筐体２９の下側、すなわち床面側に設けられている。制御部１５、第１通信部１１および第２通信部１２は、筐体２９の内部に設けられている。検出部１３、第１通信部１１および第２通信部１２のそれぞれは、制御部１５に接続されている。
【００１６】
検出部１３は、人を検出するためのカメラである。本実施の形態では、検出部１３として、輝度変化を利用して人を検出する可視光カメラが用いられている。検出部１３で検出された検出情報は、後述する制御部１５に出力される。
【００１７】
なお、検出部１３は、可視光カメラに限られず、赤外線を利用した赤外線カメラまたは赤外線センサであってもよい。検出部１３は、常時作動するように設定されていてもよいし、必要に応じて作動のオンまたはオフが切り替えられるように設定されていてもよい。
【００１８】
第１通信部１１は、携帯デバイス３０と無線通信ｒ１を行う無線モジュールである。第１通信部１１は、制御部１５からビーコン信号Ｂ１の送信指示を受け、携帯デバイス３０にビーコン信号Ｂ１を送信する。また、第１通信部１１は、ビーコン信号Ｂ１に対応して携帯デバイス３０から送信された信号を受信する。
【００１９】
第１通信部１１と携帯デバイス３０との無線通信ｒ１には、Ｂｌｕｅｔｏｏｔｈ（登録商標）、９２０ＭＨｚ帯の周波数を利用した特定小電力無線、Ｚｉｇｂｅｅ（登録商標）、または、ＷｉＦｉ（登録商標）などの通信方式が用いられる。なお、携帯デバイス３０に送信するビーコン信号Ｂ１としては、２．４ＧＨｚ帯または５ＧＨｚ帯の周波数を利用したＢｌｕｅｔｏｏｔｈ（登録商標）ビーコンが用いられる。
【００２０】
図４は、人検知装置１０の検出エリアＺ１およびビーコン信号Ｂ１の送信エリアＺ２を示す図である。検出エリアＺ１は、図４に示す２つの破線で挟まれるエリアであり、送信エリアＺ２は、図４に示す円弧の両端で挟まれるエリアである。図４に示すように、ビーコン信号Ｂ１の送信エリアＺ２は、検出部１３の検出エリアＺ１よりも広い。
【００２１】
第１通信部１１は、ビーコン信号Ｂ１として、携帯デバイス３０を所有する人の識別情報または携帯デバイス３０の識別情報を返信するように指示する信号を送信する。また、第１通信部１１は、携帯デバイス３０から送信された信号として、携帯デバイス３０を所有する人の識別情報または携帯デバイス３０の識別情報を含む信号を受信する。第１通信部１１で受信した上記識別情報は、制御部１５または管理装置４０に出力される。なお、第１通信部１１は、常時作動するように設定されていてもよいし、必要に応じて作動のオンまたはオフが切り替えられるように設定されていてもよい。
【００２２】
制御部１５は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）などによって構成されている。制御部１５には、人の形状、大きさおよび動きなど、人の外観に関する情報が予め記憶されている。
【００２３】
制御部１５は、以下に示す判定部１６および作動切替部１７を備えている。
【００２４】
判定部１６は、検出部１３で検出した情報に基づいて人の存在有無を判定する部分である。例えば判定部１６は、検出部１３で検出した検出情報と、制御部１５に予め記憶された人の外観に関する情報とを比較することで、人の存在有無を判定する。また、判定部１６は、検出エリアＺ１が複数の領域によって区分けされている場合、部屋の中の人が複数の領域のうちのどの領域にいるのかを判定することができる。なお、判定部１６は、常時作動するように設定されていてもよいし、必要に応じて作動のオンまたはオフが切り替えられるように設定されていてもよい。
【００２５】
作動切替部１７は、人検知装置１０の電力消費量を削減するため、検出部１３および判定部１６の作動、または、第１通信部１１の作動のオンおよびオフを一方から他方に切り替える部分である。
【００２６】
作動切替部１７は、判定部１６の判定情報に基づいて、第１通信部１１の作動をオンまたはオフする。例えば、作動切替部１７は、判定部１６が人の存在無しと判定した場合に、第１通信部１１の作動をオフし、判定部１６が人の存在有りと判定した場合に、第１通信部１１の作動をオンする。
【００２７】
なお、作動切替部１７は、第１通信部１１で受信した信号に含まれる情報に基づいて、検出部１３および判定部１６の作動をオンまたはオフしてもよい。例えば、作動切替部１７は、第１通信部１１が携帯デバイス３０から送信される信号を受信していない場合に、検出部１３および判定部１６の作動をオフし、第１通信部１１が携帯デバイス３０から送信される信号を受信した場合に、検出部１３および判定部１６の作動をオンしてもよい。
【００２８】
第２通信部１２は、有線または無線で通信を行う通信モジュールである。第２通信部１２は、第１通信部１１および携帯デバイス３０の通信方式とは異なる通信方式で、管理装置４０との通信を行う。
【００２９】
第２通信部１２は、判定部１６の判定情報または第１通信部１１で受信した信号に含まれる情報に基づいて、管理装置４０に管理入力情報を送信する。管理入力情報は、管理装置４０が管理処理を行うために必要な情報である。管理入力情報には、判定部１６で判定した判定情報、および、第１通信部１１で受信した信号に含まれる情報（識別情報）が含まれる。
【００３０】
ここで、第２通信部１２は、判定部１６が人の存在有りと判定し、かつ、第１通信部１１が携帯デバイス３０から送信される信号を受信した場合に、管理装置４０に管理入力情報を送信し、判定部１６が人の存在無しと判定した場合、および、第１通信部１１が携帯デバイス３０から送信される信号を受信しなかった場合の少なくとも一方の場合に、管理入力情報を送信しなくてもよい。すなわち、人検知装置１０は、部屋の中に人がいると判断し、かつ、部屋の中の人の識別情報を取得している場合に、第２通信部１２を介して管理入力情報を送信してもよい。
【００３１】
また、第２通信部１２は、上記と異なる条件の場合に、管理装置４０に管理入力情報を送信してもよい。
【００３２】
例えば第２通信部１２は、判定部１６が人の存在有りと判定した場合に管理入力情報を送信し、判定部１６が人の存在無しと判定した場合に管理入力情報を送信しなくてもよい。すなわち、人検知装置１０は、第１通信部１１が携帯デバイス３０から送信される信号を受信したか否かにかかわらず、部屋の中に人がいると判断した場合に、第２通信部１２を介して管理入力情報を送信してもよい。
【００３３】
例えば、第２通信部１２は、第１通信部１１が携帯デバイス３０から送信される信号を受信した場合に管理入力情報を送信し、第１通信部１１が携帯デバイス３０から送信される信号を受信しなかった場合に管理入力情報を送信しなくてもよい。すなわち、人検知装置１０は、部屋の中に人がいるかいないかにかかわらず、上記の識別情報を取得している場合に、第２通信部１２を介して管理入力情報を送信してもよい。
【００３４】
次に、携帯デバイス３０の構成について説明する。図５は、携帯デバイス３０を示す概略図である。
【００３５】
携帯デバイス３０は、人を認証するための携帯認証デバイスである。携帯デバイス３０は、首紐によって首に掛けられたり、クリップによって衣類に取り付けられたりする。携帯デバイス３０は、認証カードであってもよいし、スマートフォンまたはタブレット端末などの携帯端末であってもよい。
【００３６】
図２および図５に示すように、携帯デバイス３０は、通信部３１と制御部３５と電池３８とを備える。通信部３１、制御部３５および電池３８は、携帯デバイス３０の筐体３９の内部に設けられている。
【００３７】
電池３８は、例えば一次電池または二次電池である。電池３８には、通信部３１および制御部３５を駆動するために必要な電力が蓄えられている。
【００３８】
通信部３１は、人検知装置１０と無線通信ｒ１を行う無線モジュールである。通信部３１は、人検知装置１０から送信されたビーコン信号Ｂ１を受信する。また、通信部３１は、制御部３５から上記識別情報を送信するように指示を受けることで、人検知装置１０に識別情報を送信する。
【００３９】
制御部３５は、ＣＰＵ、ＲＡＭおよびＲＯＭなどによって構成されている。制御部３５の中には、携帯デバイス３０を所有する人の識別情報、または、携帯デバイス３０の識別情報が記憶されている。例えば、携帯デバイス３０を所有する人の識別情報は、その人が所属する会社の社員番号であり、携帯デバイス３０の識別情報は、携帯デバイス３０の管理番号またはＭＡＣ（Ｍｅｄｉａ  Ａｃｃｅｓｓ  Ｃｏｎｔｒｏｌ）アドレスである。
【００４０】
制御部３５は、通信部３１がビーコン信号Ｂ１をいつでも受信できるように、電池３８から通信部３１に常時電力を供給させている。また制御部３５は、携帯デバイス３０の電力消費量を削減するため、ビーコン信号Ｂ１を受け付けていない場合に制御部３５の一部を休止状態とし、ビーコン信号Ｂ１を受け付けた場合に休止した制御部３５の一部を起動する。制御部３５は、ビーコン信号Ｂ１を受け付けた後、通信部３１を介して人検知装置１０に上記識別情報を返信する。
【００４１】
次に、管理装置４０について説明する。管理装置４０は、電気機器５０の作動を管理するコントローラである。管理装置４０には、上記識別情報が予め登録されている。管理装置４０は、前述した第２通信部１２と通信可能である。
【００４２】
管理装置４０には、人検知装置１０から出力された管理入力情報が入力される。管理装置４０は、入力した管理入力情報に基づいて複数の電気機器５０を制御する。例えば電気機器５０が照明器具である場合、管理装置４０は、判定部１６の判定情報に基づいて、人が存在する領域の真上に位置する照明器具の作動をオンするように制御してもよい。また、管理装置４０は、第１通信部１１を介して取得した識別情報に基づいて、照明器具の明るさを制御してもよい。
【００４３】
また、管理装置４０は、例えば検出エリアＺ１において光の当たり方が変化し、実際には人がいないにもかかわらず人がいると判定部１６が判定した場合であっても、第１通信部１１にて取得した識別情報に基づいて、人が存在しないと判断することができる。すなわち、この人検知システム１によれば、人の存在有無に関する情報を的確に取得することができる。
【００４４】
［２．人検知システムの動作］
次に、人検知システム１の動作について図６を参照しながら説明する。図６は、人検知システム１の動作を示すシーケンス図である。
【００４５】
はじめに、人検知装置１０が部屋内にいる人を検出する（ステップＳ１１）。具体的には、検出部１３で検出した情報に基づいて、判定部１６が人の存在有無を判定する。ここで判定部１６が、人の存在有りと判定した場合に次のステップに進む。
【００４６】
次のステップとして、人検知装置１０は、ビーコン信号Ｂ１を携帯デバイス３０に送信する（ステップＳ１２）。ビーコン信号Ｂ１は、携帯デバイス３０を所有する人の識別情報または携帯デバイス３０の識別情報を人検知装置１０に返信するように指示する信号である。携帯デバイス３０は、人検知装置１０から送信されたビーコン信号Ｂ１を受信する。
【００４７】
次に、ビーコン信号Ｂ１を受信した携帯デバイス３０は、携帯デバイス３０を所有する人の識別情報または携帯デバイス３０の識別情報を人検知装置１０に返信する（ステップＳ１３）。具体的には、携帯デバイス３０は、制御部３５に格納されている上記識別情報を読み出し、通信部３１を介して上記識別情報を第１通信部１１に返信する。
【００４８】
次に、携帯デバイス３０から返信信号を受信した人検知装置１０は、管理装置４０に管理入力情報を送信する（ステップＳ１４）。管理入力情報には、判定部１６で判定した判定情報、および、第１通信部１１を介して取得した上記識別情報などが含まれる。
【００４９】
次に、管理装置４０は、送信された管理入力情報に基づいて、複数の電気機器５０に制御指令を送信する（ステップＳ１５）。これらステップＳ１１〜Ｓ１５に示す人検知システム１の動作によって電気機器５０を制御する。
【００５０】
この人検知装置１０によれば、人の存在有無に関する情報を的確に取得することができる。また、この人検知システム１によれば、人の存在有無に関する情報を的確に取得して、人検知システム１に接続されている電気機器５０を制御することができる。
【００５１】
［３．効果等］
本実施の形態に係る人検知装置１０は、人を検出するための検出部１３と、検出部１３で検出した情報に基づいて人の存在有無を判定する判定部１６と、携帯デバイス３０にビーコン信号Ｂ１を送信し、ビーコン信号Ｂ１に対応して携帯デバイス３０から送信された信号を受信する第１通信部１１とを備える。
【００５２】
このように、人検知装置１０が、検出部１３および判定部１６と、携帯デバイス３０から送信された信号を受信する第１通信部１１とを備えることで、例えば検出部１３および判定部１６のみを備える人検知装置に比べて、人の存在有無に関する情報を的確に取得することができる。
【００５３】
また、第１通信部１１によるビーコン信号Ｂ１の送信エリアＺ２は、検出部１３の検出エリアＺ１よりも広くてもよい。
【００５４】
これによれば、例えば、検出エリアＺ１における光の当たり方が変化して人の存在有無を判定しにくい場合であっても、検出エリアＺ１よりも広い送信エリアＺ２にてビーコン信号Ｂ１を送信することができ、携帯デバイス３０から人の存在有無に関する情報を的確に取得することができる。
【００５５】
また、第１通信部１１は、ビーコン信号Ｂ１として、携帯デバイス３０を所有する人の識別情報および携帯デバイス３０の識別情報のうち少なくとも一方を返信するように指示する信号を送信してもよい。
【００５６】
これによれば、第１通信部１１を介して上記識別情報を取得することが可能となり、人の存在有無に関する情報を的確に取得することができる。例えば、検出部１３および判定部１６のみを備える人検知装置では、検出部１３から見て複数の人が重なっている場合に正確な人数を取得することが困難であるが、本実施の形態では上記識別情報に基づいて正確な人数を取得することができる。また、例えば、検出部１３および判定部１６のみを備える人検知装置では、検出部１３から見て人が後ろ向きである場合にその人の氏名等を取得することが困難であるが、本実施の形態では上記識別情報に基づいてその人の氏名等を取得することができる。
【００５７】
また、第１通信部１１は、携帯デバイス３０から送信された信号として、携帯デバイス３０を所有する人の識別情報および携帯デバイス３０の識別情報のうち少なくとも一方を含む信号を受信してもよい。
【００５８】
これによれば、第１通信部１１を介して、上記識別情報を取得することができ、人の存在有無に関する情報を的確に取得することができる。例えば、検出部１３および判定部１６のみを備える人検知装置では、検出部１３から見て複数の人が重なっている場合に正確な人数を取得することが困難であるが、本実施の形態では上記識別情報に基づいて正確な人数取得することができる。また、例えば、検出部１３および判定部１６のみを備える人検知装置では、検出部１３から見て人が後ろ向きである場合にその人の氏名等を取得することが困難であるが、本実施の形態では上記識別情報に基づいてその人の氏名等を取得することができる。
【００５９】
また、人検知装置１０は、さらに、検出部１３および判定部１６の作動、または、第１通信部１１の作動のオンまたはオフを切り替える作動切替部１７を備えていてもよい。
【００６０】
このように、人検知装置１０が検出部１３および判定部１６の作動または第１通信部１１の作動のオンまたはオフを切り替える作動切替部１７を備えることで、人検知装置１０の電力消費量を削減することができる。
【００６１】
また、作動切替部１７は、判定部１６の判定情報に基づいて、第１通信部１１の作動をオンまたはオフしてもよい。
【００６２】
これによれば、第１通信部１１が消費する電力消費量を削減することができる。
【００６３】
また、作動切替部１７は、第１通信部１１で受信した信号に含まれる情報に基づいて、検出部１３および判定部１６の作動をオンまたはオフしてもよい。
【００６４】
これによれば、検出部１３および判定部１６が消費する電力消費量を削減することができる。
【００６５】
また、検出部１３は、カメラであってもよい。
【００６６】
これによれば、検出部１３にて検出した画像に関する情報に基づいて、人の存在有無に関する情報を的確に取得することができる。
【００６７】
また、検出部１３は、赤外線センサであってもよい。
【００６８】
これによれば、検出部１３にて検出した熱に関する検出情報に基づいて、人の存在有無に関する情報を的確に取得することができる。
【００６９】
また、人検知装置１０は、さらに、外部の管理装置４０と通信する第２通信部１２を有し、第２通信部１２は、判定部１６の判定情報および第１通信部１１で受信した信号に含まれる情報の少なくとも一方を管理入力情報として管理装置４０に送信してもよい。
【００７０】
これによれば、判定部１６の判定情報および第１通信部１１で受信した信号に含まれる情報を管理装置４０に送信することができる。すなわち、人の存在有無に関する情報を管理装置４０に伝達することができる。
【００７１】
また、第２通信部１２は、判定部１６が人の存在有りと判定した場合に管理入力情報を送信し、判定部１６が人の存在無しと判定した場合に管理入力情報を送信しなくてもよい。
【００７２】
これによれば、判定部１６の判定情報を管理装置４０に送信することができる。また、例えば、第１通信部１１の機能が一時的に停止された場合であっても、人の存在有無に関する情報を管理装置４０に伝達することができる。
【００７３】
また、第２通信部１２は、第１通信部１１が携帯デバイス３０から送信される信号を受信した場合に管理入力情報を送信し、第１通信部１１が携帯デバイス３０から送信される信号を受信しなかった場合に管理入力情報を送信しなくてもよい。
【００７４】
これによれば、第１通信部１１で受信した信号に含まれる情報を管理装置４０に送信することができる。また、検出部１３および判定部１６の機能が一時的に停止された場合であっても、人の存在有無に関する情報を管理装置４０に伝達することができる。
【００７５】
また、第２通信部１２は、判定部１６が人の存在有りと判定し、かつ、第１通信部１１が携帯デバイス３０から送信される信号を受信した場合に、管理入力情報を送信し、判定部１６が人の存在無しと判定した場合、および、第１通信部１１が携帯デバイス３０から送信される信号を受信しなかった場合の少なくとも一方の場合に、管理入力情報を送信しなくてもよい。
【００７６】
これによれば、例えば部屋の中に人が存在していることを認識し、かつ、その人の識別情報を取得している場合に、管理入力情報を管理装置４０に送信することができる。すなわち、人の存在有無に関する情報を的確に管理装置４０に伝達することができる。
【００７７】
本実施の形態に係る人検知システム１は、上記人検知装置１０と、人検知装置１０と通信可能な管理装置４０とを備える。
【００７８】
これによれば、人検知装置１０にて人の存在有無に関する情報を的確に取得することができるので、管理装置４０にて的確な管理処理を行うことができる。
【００７９】
また、人検知システム１は、さらに、人検知装置１０から送信されるビーコン信号Ｂ１を受信し、ビーコン信号Ｂ１に対応する信号を人検知装置１０に返信する携帯デバイス３０を備えていてもよい。
【００８０】
これによれば、携帯デバイス３０を用いて、ビーコン信号Ｂ１に対応する信号を人検知装置１０に返信するので、人検知装置１０にて人の存在有無に関する情報を的確に取得することができ、管理装置４０にて的確な管理処理を行うことができる。
【００８１】
（その他の実施の形態）
以上、実施の形態に係る人検知装置１０および人検知システム１について説明したが、本発明は、上記実施の形態に限定されるものではない。
【００８２】
例えば、実施の形態に係る人検知装置１０では、検出部１３がカメラ２３である例を示したが、これに限られない。例えば、図７に示すように、検出部１３は、人体が発する赤外線を検出する赤外線センサ２４であってもよい。また、人検知装置１０は、検出部１３として、カメラおよび赤外線センサの両方を備えていてもよい。すなわち検出部１３は、人を検出することができる人感センサであればよい。
【００８３】
例えば、実施の形態に係る人検知システム１では、１つの人検知装置１０から出力される情報に基づいて、電気機器５０を制御したが、これに限らない。例えば、人検知システム１は、複数の人検知装置１０から出力される情報に基づいて、電気機器５０を制御してもよい。
【００８４】
また、実施の形態に係る人検知システム１では、人検知装置１０と管理装置４０とが直接接続されている形態を示したが、これに限られない。例えば、人検知装置１０と管理装置４０との間に、管理装置４０とは異なるサブコントローラが設けられ、サブコントローラの配下に複数の電気機器５０が接続されていてもよい。
【００８５】
また、実施の形態に係る人検知システム１では、管理装置４０に複数の電気機器５０のみが接続されている形態を示したが、これに限られない。例えば、管理装置４０には、防災システム、防犯システム、電力監視システムまたは空調制御システムなどの外部システムが接続されていてもよい。
【００８６】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【００８７】
１    人検知システム
１０  人検知装置
１１  第１通信部
１２  第２通信部
１３  検出部
１５  制御部
１６  判定部
１７  作動切替部
２３  カメラ
２４  赤外線センサ
３０  携帯デバイス
４０  管理装置
Ｂ１  ビーコン信号
Ｚ１  検出エリア
Ｚ２  送信エリア
【図１】
2020027013.tif 000003
【図２】
2020027013.tif 000004
【図３】
2020027013.tif 000005
【図４】
2020027013.tif 000006
【図５】
2020027013.tif 000007
【図６】
2020027013.tif 000008
【図７】
2020027013.tif 000009